(57)【特許請求の範囲】
【請求項１】
人の存否を検知して人体検知信号を発生する人体センサ部、操作に応じた操作信号を発生するリモコン操作部、ワイヤレス信号を外部に送信する信号送信部、人体センサ部の人体検知信号又はリモコン操作部の操作信号に基づいて信号送信部から外部へ制御信号を送信させるリモコン制御部を有するリモコン送信器と、外部よりワイヤレス信号にて送信された制御信号を受信する信号受信部、照明負荷を調光点灯させる照明負荷部、信号受信部及び照明負荷部の動作を制御する器具制御部を有する照明器具とから構成され、周囲の照度を検出する第１の照度センサ部と、照明負荷部の動作状態に応じて第１の照度センサ部の感度を切り替える照度センサ制御部とをリモコン送信器又は照明器具のいずれかに設け、器具制御部が、リモコン送信器からの制御信号と第１の照度センサ部の検出した照度とに応じて、検出した照度が予め設定された照度となるように照明負荷を調光するための調光信号を照明負荷部へ出力しており、前記照度センサ制御部は、第１の照度センサ部の検出した照度が基準照度よりも明るくなると第１の照度センサ部の感度を高く、基準照度よりも暗くなると感度を低くすることを特徴とする照明制御装置。
【請求項２】
第１の照度センサ部が照明負荷を覆うカバーの内側に配設され、上記カバーの透過率を計測する透過率計測手段と、透過率計測手段によって計測されたカバーの透過率が低い場合に第１の照度センサ部の感度を高くするとともに、透過率計測手段によって計測されたカバーの透過率が高い場合に第１の照度センサ部の感度を低くする感度補正手段とを照明器具に設けて成ることを特徴とする請求項１記載の照明制御装置。
【請求項３】
透過率計測手段が、照明負荷を覆うカバーの外側に配設された第２の照度センサ部からなることを特徴とする請求項２記載の照明制御装置。
【請求項４】
透過率計測手段が、照明負荷の点灯時に第１及び第２の照度センサ部がそれぞれ検出した照度からカバーの透過率を計測することを特徴とする請求項３記載の照明制御装置。
【請求項５】
透過率計測手段が、照明負荷の消灯時に第１及び第２の照度センサ部がそれぞれ検出した照度からカバーの透過率を計測することを特徴とする請求項３記載の照明制御装置。
【請求項６】
第１の照度センサ部の検出した照度が所定の閾値よりも暗い場合は、器具制御部が照明負荷部の点灯出力を一定に維持することを特徴とする請求項１乃至５の何れか１つに記載の照明制御装置。
【請求項７】
第１の照度センサ部の検出した照度が所定の閾値よりも明るくなると、照度が所定の照度になるように、器具制御部が調光信号を照明負荷部へ出力することを特徴とする請求項１乃至５の何れか１つに記載の照明制御装置。
【発明の詳細な説明】
【０００１】
【発明の属する技術分野】
本発明は、照度センサ部を用いて照明器具のさまざまな動作を制御する照明制御装置に関するものである。
【０００２】
【従来の技術】
この種の照明制御装置としては、図１２（ａ）（ｂ）に示すように、照度センサ部１１ａを備えた照明器具１があり、照明器具１には壁スイッチ３を介して交流電源４が供給されていた。照明器具１は周囲照度が低いときに点灯させるのが一般的な使用形態であって、時刻ｔ4 で照度センサ部１１ａの検出した周囲照度が予め設定した閾値（照度レベル）Ｌ0 よりも暗くなると、自動的に照明器具１を点灯させたり、周囲照度が高いときには照明器具１を点灯させないようにしていた。ここで、照度センサ部１１ａは周囲の照度と閾値Ｌ0 との明暗を検出しているだけなので、照度センサ部１１ａにはあまり高い検出精度（感度）が要求されていなかった。
【０００３】
ところで、照明負荷が点灯すると、照度センサ部１１ａの検出照度が点灯前に比べて遙かに明るくなるので、感度の低い照度センサ部１１ａでは、周囲の照度の細かい変化を検出することができなかった。したがって、照明器具１は照明負荷を一旦点灯させると、照度センサ部１１ａの動作を停止させており、壁スイッチ３の操作によって照明負荷が消灯されるまで、照明負荷を点灯し続けているので、照明負荷の点灯後は周囲照度の変化を検出することができないという問題があった。
【０００４】
この問題を解決するために、図１３及び図１４に示すように、照明器具１のセードやグローブからなるカバーの外側に高感度の照度センサ部１１ａを設け、照明負荷の点灯、消灯と無関係に周囲の照度を常時監視し、周囲の照度が予め設定された照度ＬS となるように、照明負荷の点灯出力を０〜１００％の範囲で調光制御するものもあり、時刻ｔ5 で窓から外光が入射し、照度が高くなると、照明器具１が照明負荷を調光して照度がＬS となるように制御していた。
【０００５】
【発明が解決しようとする課題】
上記構成の照明制御装置では、照度センサ部の指向感度特性が均一となるように、照度センサ部の前面に特殊な感度補正用の遮光板１１ｂを設ける必要がある。そのため、照度センサ部以外にも遮光板１１ｂを配設するスペースが必要になり、照明器具１が大型化するとともに、構造的にも複雑になっていた。また、照明器具１の外部に照度センサ部１１ａや遮光板１１ｂを配設しているため、照度センサ部１１ａや遮光板１１ｂによって照明器具１のデザインが損なわれていた。
【０００６】
さらに、照度と照度センサ部の信号出力との相関曲線（以後、感度曲線と呼ぶ）は、図１５に示すように、照度が明るくなるにつれて信号出力の傾きが緩やかになっている（すなわち、照度センサ部の感度が悪化している）。このような照度センサ部を用いた場合、周囲の照度が同じ変化量ΔＬだけ変化したとしても、例えば照度がＬ1 からＬ2 （Ｌ1 ＜Ｌ2 ）まで変化した場合の信号出力の変化量ΔＶ12（ΔＶ12＝Ｖ2 −Ｖ1 ）に比べて、照度がより明るい範囲でＬ3 からＬ4 （Ｌ3 ＜Ｌ4 ）まで変化した場合の信号出力の変化量ΔＶ34（ΔＶ34＝Ｖ4 −Ｖ3 ）が小さくなっている（ΔＶ34＜ΔＶ12）。ここで、照度センサ部の信号出力の検出精度（検出可能な照度の最小単位、分解能）が照度レベルと無関係に略一定（＝ΔＶS ）であり、ΔＶ34＜ΔＶS ≦ΔＶ12とすると、この照度センサ部では信号出力の変化量ΔＶ12を検出することはできるが、信号出力の変化量ΔＶ34を検出することはできず、周囲の照度が明るい場合には照度変化を検出しにくいという問題もあった。
【０００７】
また、照明器具１では、光源の配光や光色を変えたり光源の直視を防止するために光源を覆うように配置されるセードやグローブからなるカバーが広く用いられており、セードやグローブは照明器具の外観を形成するものであるから、図１６（ａ）〜（ｃ）に示すように、形状や材料（ガラス、アクリル樹脂、和紙等）に創意した各種デザインのものが提供されていた。上述の照度センサ部を備えた照明器具１では、照度センサ部がセードやグローブによる光量変化の影響を受けずに同条件で周囲照度を検出することができるように、照度センサ部がセードやグローブで覆われない部位に配置されることが多い。その結果、セードやグローブに創意工夫を凝らしても照度センサ部によってデザインが損なわれることがある。
【０００８】
この問題を解決するには、照度センサ部をセードやグローブで覆われる部位に配置することが考えられるが、セードやグローブは形状、材料、色などによって光の透過率が大きくが異なるから、セードやグローブの外側では同照度であったとしても、照度センサ部での検出照度は照明器具の仕様毎に異なってしまう。つまり、照度センサ部の出力を照明器具の仕様に応じて補正する補正手段を設ける必要があり、照明器具の仕様が増えるほど、補正手段の種類が増え、補正手段の開発作業が増加するという問題があった。そのため、従来よりデザイン性を考慮して照度センサ部をセードやグローブで覆われる部位に配置した照明器具もあるにはあるが、補正手段の開発作業を減らすために、セードやグローブの種類を増やすことができず、限られたデザインのものしか提供することができなかった。
【０００９】
本発明は上記問題点に鑑みて為されたものであり、その目的とするところは、照明負荷の点灯後も周囲の照度変化を検出し、照度変化に応じて照明負荷を調光制御することのできる照明制御装置を提供することにあり、さらには、照明器具の仕様に関係なく同じ条件で照度を検出し、照明負荷を調光制御することのできる照明制御装置を提供することにある。
【００１０】
【課題を解決するための手段】
上記目的を達成するために、請求項１の発明では、人の存否を検知して人体検知信号を発生する人体センサ部、操作に応じた操作信号を発生するリモコン操作部、ワイヤレス信号を外部に送信する信号送信部、人体センサ部の人体検知信号又はリモコン操作部の操作信号に基づいて信号送信部から外部へ制御信号を送信させるリモコン制御部を有するリモコン送信器と、外部よりワイヤレス信号にて送信された制御信号を受信する信号受信部、照明負荷を調光点灯させる照明負荷部、信号受信部及び照明負荷部の動作を制御する器具制御部を有する照明器具とから構成され、周囲の照度を検出する第１の照度センサ部と、照明負荷部の動作状態に応じて第１の照度センサ部の感度を切り替える照度センサ制御部とをリモコン送信器又は照明器具のいずれかに設け、器具制御部が、リモコン送信器からの制御信号と第１の照度センサ部の検出した照度とに応じて、検出した照度が予め設定された照度となるように照明負荷を調光するための調光信号を照明負荷部へ出力しており、前記照度センサ制御部は、第１の照度センサ部の検出した照度が基準照度よりも明るくなると第１の照度センサ部の感度を高く、基準照度よりも暗くなると感度を低くしているので、照明負荷が点灯した後も、周囲の照度変化を検出することができる。
【００１１】
請求項２の発明では、請求項１の発明において、第１の照度センサ部が照明負荷を覆うカバーの内側に配設され、上記カバーの透過率を計測する透過率計測手段と、透過率計測手段によって計測されたカバーの透過率が低い場合に第１の照度センサ部の感度を高くするとともに、透過率計測手段によって計測されたカバーの透過率が高い場合に第１の照度センサ部の感度を低くする感度補正手段とを照明器具に設けているので、照明器具のカバーの仕様に関係なく、同じ条件で照度を検出することができる。
【００１２】
請求項３の発明では、請求項２の発明において、透過率計測手段が、照明負荷を覆うカバーの外側に配設された第２の照度センサ部から構成され、請求項４の発明では、請求項３の発明において、透過率計測手段が、照明負荷の点灯時に第１及び第２の照度センサ部がそれぞれ検出した照度からカバーの透過率を計測し、請求項５の発明では、透過率計測手段が、照明負荷の消灯時に第１及び第２の照度センサ部がそれぞれ検出した照度からカバーの透過率を計測しているので、照明器具のカバーの透過率を正確に計測できる。
【００１３】
請求項６の発明では、請求項１乃至５の何れかの発明において、第１の照度センサ部の検出した照度が所定の閾値よりも暗い場合は、器具制御部が照明負荷部の点灯出力を一定に維持しており、請求項７の発明では、第１の照度センサ部の検出した照度が所定の閾値よりも明るくなると、照度が所定の照度になるように、器具制御部が調光信号を照明負荷部へ出力しているので、照明負荷を所望の照度に調光することができる。
【００１４】
【発明の実施の形態】
本発明の実施の形態を図面を参照して説明する。
（実施形態１）
本実施形態の照明制御装置のブロック図を図１に示す。
１は照明器具であり、周囲照度を検出する第１の照度センサ部１１と、第１の照度センサ部１１の様々な制御を行う照度センサ制御部１２と、外部より赤外線光などの光信号からなるワイヤレス信号にて送信された制御信号を受信する信号受信部１３と、照明器具１の様々な設定を行うための設定操作部１４と、照明器具１に関する様々な設定情報を記憶する不揮発性のメモリ部１５と、照明負荷を点灯又は消灯させる照明負荷部１６と、各部の動作を制御する器具制御部１７と、各部に動作電源を供給する電源部１８とから構成される。
【００１５】
また、２はリモコン送信器であり、人の存否を検出する人体センサ部２１と、赤外線光などの光信号からなるワイヤレス信号にて照明器具１へ制御信号を送信する信号送信部２３と、照明器具１を点灯又は消灯させるための切替操作を行ったり、様々な設定を行うためのリモコン操作部２４と、各部の動作を制御するリモコン制御部２５と、各部に動作電源を供給する電源部２６とから構成される。
【００１６】
ここで、リモコン送信器２の人体センサ部２１が人を検知して人体検知信号を発生したり、リモコン操作部２４が操作に応じて操作信号を発生すると、リモコン制御部２５は、人体センサ部２１の人体検知信号やリモコン操作部２４の操作信号に基づいて、信号送信部２３から外部へワイヤレス信号にて制御信号を送信させ、照明器具１の信号受信部１３が信号送信部２３から送信された制御信号を受信する。また、第１の照度センサ部１１は周囲の照度を検出しており、器具制御部１７は信号受信部１３の受信した制御信号及び第１の照度センサ部１１の検出した照度に基づいて調光信号を発生し、照明負荷部１６が器具制御部１７の調光信号に基づいて照明負荷を調光点灯する。
【００１７】
この時、照明負荷部１６が照明負荷を点灯させた後も、第１の照度センサ部１１は周囲の照度を検出しており、器具制御部１７は照度センサ部１１の検出した照度に応じた調光信号を発生し、照明負荷部１６が器具制御部１７の調光信号に基づいて照明負荷を調光点灯し、周囲の照度を予め設定された照度に制御している。
【００１８】
図２に示すように、一般に、第１の照度センサ部１１の感度曲線は、照度が明るくなるにつれて、信号出力の傾きが緩やかになる（すなわち、第１の照度センサ部１１の感度が悪化する）。したがって、周囲の照度が同じ変化量ΔＬだけ変化したとしても、例えば照度がＬ1 からＬ2 まで変化した場合（Ｌ1 ＜Ｌ2 ）の信号出力の変化量ΔＶ12（ΔＶ12＝Ｖ2 −Ｖ1 ）に比べて、照度がより明るい範囲でＬ3 からＬ4 まで変化した場合（Ｌ2 ＜Ｌ3 ＜Ｌ4 ）の信号出力の変化量ΔＶ34（ΔＶ34＝Ｖ4 −Ｖ3 ）が小さくなっている（ΔＶ34＜ΔＶ12）。
【００１９】
ここで、第１の照度センサ部１１の分解能（すなわち、検出可能な照度の最小単位）ΔＶS1を照度レベルと無関係に一定にした場合、照度が明るくなるにつれて、第１の照度センサ部１１の信号出力の傾きが緩やかになる。したがって、同じ照度変化ΔＬに対する信号出力の変化量がΔＶ12からΔＶ34に小さくなり、周囲が明るい場合の信号出力の変化量ΔＶ34が分解能ΔＶS1よりも小さくなるため、信号出力の変化量ΔＶ34を検出できなくなる。
【００２０】
そこで、本実施形態では、照度センサ制御部１２が第１の照度センサ部１１の分解能を周囲の照度に応じて変化させており、周囲の照度がある任意の照度レベルＬT よりも明るくなると（すなわち、第１の照度センサ部１１の信号出力が切替レベルＶT よりも大きくなると）、照度センサ制御部１２が第１の照度センサ部１１の分解能をΔＶS1からΔＶS2（ΔＶS2＜ΔＶ34）に細かくして、感度を高めている。したがって、周囲の照度が明るくなり、第１の照度センサ部１１の信号出力の変化量ΔＶ34が小さくなったとしても、第１の照度センサ部１１の感度を高めることによって、微小な変化量ΔＶ34でも検出することができるので、照明負荷部１６が点灯した後にも、第１の照度センサ部１１を継続して動作させ、照度の微小な変化量を検出して、照明負荷部１６の調光出力を制御し、照度を一定に制御することができる。
【００２１】
ところで、図３に示すように、例えば第１の照度センサ部１１がＣｄＳセル１１ａから構成されており、ＣＰＵからなる器具制御部１７のＡ／Ｄ入力部にＣｄＳセル１１ａの出力が接続された場合、照度センサ制御部１２がＡ／Ｄ入力部のアナログ信号の分解能をソフトウェアで細かくするなどして、ＣｄＳセル１１ａの分解能を切り替えている。尚、第１の照度センサ部１１の分解能の切り替えを上述の方法以外で行ってもよく、例えばアナログ信号の分解能をハードウェア的に切り替えても良い。
【００２２】
この照明制御装置の動作を図４及び図５を参照して説明する。
この照明器具１では、周囲の照度に応じて、照度センサ制御部１２が第１の照度センサ部１１の感度を切り替えている。図４に示すように、時刻ｔ1 で周囲の照度が予め設定された点灯開始照度まで低下し、第１の照度センサ部１１の信号出力が点灯開始照度に対応した信号レベルＶS になると、器具制御部１７は点灯信号を発生し、照明負荷部１６が器具制御部１７の点灯信号に基づいて照明負荷を点灯させる。照明負荷の点灯時に周囲の照度が急激に明るくなり、第１の照度センサ部１１の信号出力がＶC になったとする。この時、第１の照度センサ部１１の信号出力ＶC が、第１の照度センサ部１１の感度を切り替える切替レベルＶT を上回っているので、照度センサ制御部１２が第１の照度センサ部１１の分解能を予め設定されている分解能に切り替え、第１の照度センサ部１１の感度を高めている。
【００２３】
ここで、照明負荷の点灯中に、照明負荷以外の外光（例えば、窓から入射した太陽光）が入射すると、外光の入射によって周囲の照度が上昇するが、既に照明負荷が点灯し周囲の照度が高くなっているので、相当明るい外光が入射したとしても、外光の入射による照度変化は相対的に小さくなる。したがって、時刻ｔ2 で外光が入射したとしても、周囲の照度はあまり変化せず、第１の照度センサ部１１の信号出力はＶC からＶP に僅かに上昇する程度になるが、第１の照度センサ部１１の分解能が細かくなっているので、信号出力の僅かな変化も検出することができる。
【００２４】
ところで、外光の入射によって上昇した時の第１の照度センサ部１１の信号出力ＶP が、予め設定された閾値（上限値）ＶＭに満たない場合、器具制御部１７は照明負荷部１６の点灯出力を一定に維持する。
一方、図４に示すように、時刻ｔ2 において、外光の入射によって周囲の照度が明るくなり、第１の照度センサ部１１の信号出力ＶP が上限値ＶＭを上回ると、器具制御部１７は過剰な照度になっていると判断する。そして、器具制御部１７は照明負荷部１６を調光或いは消灯させて、周囲の照度が、照明負荷部１６が初めて点灯した時の照度ＶC になるように制御する。
【００２５】
また、図５に示すように、照明負荷部１６の点灯後に何らかの原因によって周囲の照度が低下し、第１の照度センサ部１１の信号出力ＶP が予め設定された閾値（下限値）Ｖｍを下回ると、器具制御部１７は照明負荷部１６を調光して、周囲の照度が、例えば照明負荷部１６の初点灯時の照度ＶC となるように制御する。尚、点灯開始照度ＶS 、切替レベルＶT 、Ｖc 、上限値ＶＭ、下限値Ｖｍの各設定値は任意に設定することができ、各設定値は複数用意しても良い。
【００２６】
ところで、上述の照明制御装置では、照度センサ制御部１２が一つの照度レベルで第１の照度センサ部１１の感度を切り替えているが、複数の照度レベルで第１の照度センサ部１１の感度を切り替えるようにしても良い。
例えば、図６に示すように、３段階の照度レベルＬT1，ＬT2，ＬT3を設定し、第１の照度センサ部１１の検出した照度が照度レベルＬT1よりも暗い場合（すなわち、第１の照度センサ部１１の信号出力が切替レベルＶT1よりも小さい場合）、照度センサ制御部１２が第１の照度センサ部１１の分解能をΔＶS1とする。そして、第１の照度センサ部１１の検出した照度が照度レベルＬT1よりも明るくなると（すなわち、第１の照度センサ部１１の信号出力が切替レベルＶT1よりも大きくなると）、照度センサ制御部１２が第１の照度センサ部１１の分解能をΔＶS2（＜ΔＶS1）に切り替える。また、第１の照度センサ部１１の検出した照度が照度レベルＬT2よりも明るくなると（すなわち、第１の照度センサ部１１の信号出力が切替レベルＶT2よりも大きくなると）、照度センサ制御部１２が第１の照度センサ部１１の分解能をΔＶS3（＜ΔＶS2）に切り替える。さらに、第１の照度センサ部１１の検出した照度が照度レベルＬT3よりも明るくなると（すなわち、第１の照度センサ部１１の信号出力が切替レベルＶT3よりも大きくなると）、照度センサ制御部１２が第１の照度センサ部１１の分解能をΔＶS4（＜ΔＶS3）に切り替える。ここで、照度の切替レベルＬT1…の間隔は等間隔に設定しても良いし、第１の照度センサ部１１の感度特性に合わせた間隔に設定しても良い。
【００２７】
また、上述の照明制御装置では、周囲の照度が所定の照度レベルよりも明るくなると、照度センサ制御部１２が第１の照度センサ部１１の分解能を細かくしていたが、照明器具１の照明負荷部１６が点灯状態から消灯状態に切り替わった場合、又は、消灯状態から点灯状態に切り替わった場合に、照度センサ制御部１２が第１の照度センサ部１１の分解能を切り替えても良い。
【００２８】
照明器具１では、第１の照度センサ部１１の検出した照度が所定の点灯開始照度（閾値）よりも暗くなると、器具制御部１７が点灯信号を発生し、照明負荷部１６が器具制御部１７の点灯信号に基づいて照明負荷を点灯させているが、照度の閾値は一般にかなり暗い照度に設定されている。
ここで、照明負荷部１６が点灯すると、照明負荷部１６の点灯によって、外部から入射する外光などの外部要因による明るさとは比較にならない程の大光量が発生し、器具周辺の点灯後の照度は点灯前の照度に比べて遙かに明るくなる。ところで、一般的な照度センサ部では、計測する照度が明るくなるにつれて、照度センサ部の感度が悪化する場合が多いので、照明負荷部１６の点灯前には、第１の照度センサ部１１の感度が低くても、微小な照度変化を照度変化を検知することができたが、照明負荷部１６の点灯後は、第１の照度センサ部１１の感度を高くしなければ、微小な照度変化を検出することができなくなる。
【００２９】
そこで、図７に示すように、照明負荷部１６が消灯状態から点灯状態に切り替わると、照度センサ制御部１２が第１の照度センサ部１１の分解能をΔＶS1からΔＶS2に細かくして（ΔＶS1＞ΔＶS2）、第１の照度センサ部１１の感度を高めているので、照明負荷部１６の点灯後も第１の照度センサ部１１が周囲の照度変化を検出することができる。したがって、器具制御部１７は、第１の照度センサ部１１の検出した照度に基づいて調光信号を発生し、照明負荷部１６が器具制御部１７の調光信号に応じて照明負荷を調光点灯させることにより、周囲の照度を予め設定された照度に制御することができる。
【００３０】
尚、第１の照度センサ部１１は、照明器具１のセードやグローブからなるカバーで覆われる部位に配設しても良いし、照明器具１のカバーで覆われていない部位に配設しても良い。また、図８に示すように、第１の照度センサ部１１及び照度センサ制御部１２を照明器具１に設ける代わりに、リモコン送信器２に、周囲の照度を検出する第１の照度センサ部２２と、第１の照度センサ部２２の検出精度を制御する照度センサ制御部２７を設けても良い。この場合、リモコン制御部２５は、第１の照度センサ部２２の検出信号を信号処理部２３から照明器具１へ送信させる。そして、照明器具１では、信号受信部１３がリモコン送信器２から送信された第１の照度センサ部２２の検出信号を受信し、器具制御部１７が信号受信部１３の受信した第１の照度センサ部２２の検出信号に基づいて調光信号を発生し、照明負荷部１６が器具制御部１７の調光信号に基づいて照明負荷を調光点灯し、周囲の照度を予め設定された照度に制御する。
【００３１】
（実施形態２）
本実施形態の照明制御装置のブロック図を図９に示す。尚、基本的な構成及び動作は実施形態１の照明制御装置と同様であるので、異なる部分についてのみ説明を行い、実施形態１の照明制御装置と共通する構成要素には同一の符号を付し、その説明を省略する。
【００３２】
ここで、照明器具１の第１の照度センサ部１１は、照明器具１のセードやグローブからなるカバーに覆われる部位に配設されている。また。リモコン送信器２には、リモコン送信器２の周辺の照度を検出する透過率測定手段たる第２の照度センサ部２２’を設けている。そして、第１の照度センサ部１１の信号出力と、第２の照度センサ部２２’の信号出力とからカバーの透過率を測定し、カバーの透過率が低い場合には、感度補正手段たる照度センサ制御部１２が第１の照度センサ部１１の感度を高く、カバーの透過率が高い場合には、照度センサ制御部１２が第１の照度センサ部１１の感度を低くしている。
【００３３】
図１０（ａ）に周囲の照度と第１及び第２の照度センサ部１１，２２’の信号出力との関係（感度曲線）を示し、図中Ａは第１の照度センサ部１１の感度曲線であり、図中Ｂは第２の照度センサ部２２’の感度曲線である。ここで、第１の照度センサ部１１は照明器具１のカバー内に配設されているので、第２の照度センサ部２２’の検出した照度に比べて、第１の照度センサ部１１の検出した照度が暗くなる。したがって、第２の照度センサ部２２’の信号出力に比べて、第１の照度センサ部１１の信号出力が小さくなる。ここで、照明負荷部１６が点灯しておらず、周囲の照度がＬT の時の、第１及び第２の照度センサ部１１，２２’の信号出力をそれぞれＶi ，Ｖo （Ｖi ≠Ｖo ）とすると、リモコン送信器２のリモコン制御部２５は、第２の照度センサ部２２’の信号出力ＶO を、信号送信部２３から照明器具１へ送信させる。そして、照明器具１では、信号受信部１３がリモコン送信器２から送信された第２の照度センサ部２２’の信号出力ＶO を受信し、器具制御部１７が信号受信部１３の受信した信号出力ＶO と、第１の照度センサ部１１の信号出力Ｖi とを比較し、照明器具１のカバーの透過率Ｒi-O を求める。ここに、照明器具１のカバーの透過率Ｒi-O は次式で表される。
【００３４】
Ｒi-O ＝Ｖi ／Ｖo 
ここで、照明器具１のカバーの透過率Ｒi-O が低い場合、照明器具１のカバーの外側では照度変化が大きくても、照明器具１のカバーの内側では照度変化が小さくなる。例えば図１０（ｂ）に示すように、周囲の照度がＬ1 からＬ2 までΔＬだけ変化した場合、第２の照度センサ部２２’の信号出力はＶO1からＶO2までΔＶO だけ変化するが、第１の照度センサ部１１の信号出力はＶi1からＶi2までΔＶi だけしか変化せず、第１の照度センサ部１１の信号出力の変化量が小さくなっている。したがって、第１及び第２の照度センサ部１１，２２’の感度が同じ場合、第１の照度センサ部１１では照度変化を検出できない場合があった。
【００３５】
そこで、本実施形態ではカバーの透過率Ｒi-O が所定の閾値以下であれば、照度センサ制御部１２が第１の照度センサ部１１の感度を高くし（分解能をΔＶSOからΔＶSiに小さくし）、カバーの透過率Ｒi-O が所定の閾値よりも大きければ、照度センサ制御部１２が第１の照度センサ部１１の感度を低くしているので（分解能をΔＶSiからΔＶSOに大きくしている）、カバー（照明器具）の仕様に関係なく、同じ条件で周囲の照度を検出することができる。
【００３６】
この照明制御装置では、上述のようにして、照明器具１のカバーの透過率を測定し、照明器具１のカバーの透過率を考慮して、照明器具１のカバー内に配設された第１の照度センサ部１１の感度を補正した後、実施形態１と同様に、周囲の照度や照明負荷１６の点灯状態に応じて第１の照度センサ部の感度を切り替えている。
【００３７】
ところで、リモコン送信器２を使用する際、リモコン送信器２はどこに置かれるか判らないので、リモコン送信器２に設けられた第２の照度センサ部２２’は、照明器具１のカバーの透過率を測定する場合だけ動作させるようにしても良い。また、上述の照明制御装置では照明負荷部１６の消灯時にカバーの透過率を測定し、第１の照度センサ部１１の感度を補正しているが、照明負荷部１６の点灯時にカバーの透過率を測定し、第１の照度センサ部１１の感度を補正しても良いのは、勿論のことである。
【００３８】
さらに、図１１に示すように、リモコン送信器２に第２の照度センサ部２２’を設けるかわりに、照明器具１にカバーの透過率を測定するための第２の照度センサ部１９を設け、第１の照度センサ部１１を照明器具１のカバーの内側に配設するとともに、第２の照度センサ部１９を照明器具１のカバーの外側に配設して、第１及び第２の照度センサ部１１，１９の信号出力からカバーの透過率を測定するようにしても良い。
【００３９】
【発明の効果】
上述のように、請求項１の発明は、人の存否を検知して人体検知信号を発生する人体センサ部、操作に応じた操作信号を発生するリモコン操作部、ワイヤレス信号を外部に送信する信号送信部、人体センサ部の人体検知信号又はリモコン操作部の操作信号に基づいて信号送信部から外部へ制御信号を送信させるリモコン制御部を有するリモコン送信器と、外部よりワイヤレス信号にて送信された制御信号を受信する信号受信部、照明負荷を調光点灯させる照明負荷部、信号受信部及び照明負荷部の動作を制御する器具制御部を有する照明器具とから構成され、周囲の照度を検出する第１の照度センサ部と、照明負荷部の動作状態に応じて第１の照度センサ部の感度を切り替える照度センサ制御部とをリモコン送信器又は照明器具のいずれかに設け、器具制御部が、リモコン送信器からの制御信号と第１の照度センサ部の検出した照度とに応じて、検出した照度が予め設定された照度となるように照明負荷を調光するための調光信号を照明負荷部へ出力しており、照度センサ制御部は、第１の照度センサ部の検出した照度が基準照度よりも明るくなると第１の照度センサ部の感度を高く、基準照度よりも暗くなると感度を低くしているので、照明負荷が点灯した後も、周囲の照度変化を検出することができ、照明負荷の調光制御を行うことができるという効果がある。
【００４０】
請求項２の発明は、第１の照度センサ部が照明負荷を覆うカバーの内側に配設され、上記カバーの透過率を計測する透過率計測手段と、透過率計測手段によって計測されたカバーの透過率が低い場合に第１の照度センサ部の感度を高くするとともに、透過率計測手段によって計測されたカバーの透過率が高い場合に第１の照度センサ部の感度を低くする感度補正手段とを照明器具に設けているので、照明器具のカバーの仕様に関係なく、同じ条件で照度を検出することができるという効果がある。
【００４１】
請求項３の発明は、透過率計測手段が、照明負荷を覆うカバーの外側に配設された第２の照度センサ部から構成され、請求項４の発明は、透過率計測手段が、照明負荷の点灯時に第１及び第２の照度センサ部がそれぞれ検出した照度からカバーの透過率を計測し、請求項５の発明は、透過率計測手段が、照明負荷の消灯時に第１及び第２の照度センサ部がそれぞれ検出した照度からカバーの透過率を計測しているので、照明器具のカバーの透過率を正確に計測できるという効果がある。
【００４２】
請求項６の発明は、第１の照度センサ部の検出した照度が所定の閾値よりも暗い場合は、器具制御部が照明負荷部の点灯出力を一定に維持しており、請求項７の発明は、第１の照度センサ部の検出した照度が所定の閾値よりも明るくなると、照度が所定の照度になるように、器具制御部が調光信号を照明負荷部へ出力しているので、照明負荷を所望の照度に調光することができるという効果がある。
【図面の簡単な説明】
【図１】実施形態１の照明制御装置を示すブロック図である。
【図２】同上に用いる第１の照度センサ部の感度曲線を示す図である。
【図３】同上の一部省略せる回路図である。
【図４】同上の照明制御装置の動作を説明する説明図である。
【図５】同上の照明制御装置の別の動作を説明する説明図である。
【図６】同上に用いる第１の照度センサ部の別の感度曲線を示す図である。
【図７】同上に用いる第１の照度センサ部のまた別の感度曲線を示す図である。
【図８】同上の別の照明制御装置を示すブロック図である。
【図９】実施形態２の照明制御装置を示すブロック図である。
【図１０】（ａ）（ｂ）は同上に用いる照度センサ部の感度曲線を示す図である。
【図１１】同上の別の照明器具を示すブロック図である。
【図１２】従来の照明制御装置を示し、（ａ）は概略構成図、（ｂ）は動作を説明する説明図である。
【図１３】従来の別の照明制御装置を示す外観斜視図である。
【図１４】同上の動作を説明する説明図である。
【図１５】同上に用いる照度センサ部の感度曲線を示す図である。
【図１６】（ａ）〜（ｃ）は従来の照明器具のカバーを示す図である。
【符号の説明】
１    照明器具
１１  第１の照度センサ部
１２  人体センサ部
１３  信号受信部
１６  照明負荷部
１７  器具制御部
２１  人体センサ部
２３  信号送信部
２４  リモコン操作部
２５  リモコン制御部
【図１】
0003804194.tif 000002
【図２】
0003804194.tif 000003
【図３】
0003804194.tif 000004
【図４】
0003804194.tif 000005
【図５】
0003804194.tif 000006
【図６】
0003804194.tif 000007
【図７】
0003804194.tif 000008
【図８】
0003804194.tif 000009
【図９】
0003804194.tif 000010
【図１０】
0003804194.tif 000011
【図１１】
0003804194.tif 000012
【図１２】
0003804194.tif 000013
【図１３】
0003804194.tif 000014
【図１４】
0003804194.tif 000015
【図１５】
0003804194.tif 000016
【図１６】
0003804194.tif 000017